(57)【要約】【解決手段】  本発明は漂白、着色、コーティングなどの染色操作を電気力を用いて染料容器により行う装置に関する。本発明の主要部品は、本体と、櫛組立体と、ポンプと、配管部材からなる。取っ手とヘッド部からなる本体には、モータ、バッテリーおよびスイッチが設けられる。それぞれ流路を有する多数の櫛歯で構成された櫛組立体は本体に固定される。ポンプは、本体に付着された容器からの染料を強くて均一に櫛組立体の各櫛歯に供給するようにモータに連結される。配管部材は、櫛組立体の流路を通して染料の均一な流動を維持するため、ポンプと櫛組立体間の流路に配置される。
2005533596.tif 000002
【特許請求の範囲】
【請求項１】
毛髪染料を収容する染料容器において、
染料の排出により流入される空気と接触しないように形成され、前記染料の排出時、小さい負圧を受けるように易く折り畳まれる樹脂薄膜に形成される染料収容空間と、
染料が排出される少なくとも一つの口部とを含んでなることを特徴とする染料容器。
【請求項２】
前記染料の減少により生じる負圧を減らすため、前記染料収容区間に隣接した前記染料容器の外側に形成される少なくとも一つの孔をさらに含むことを特徴とする請求項１に記載の染料容器。
【請求項３】
電気力により染料を排出して毛髪を染色する毛髪染色装置において、
モータ、電源、スイッチ、および請求項１に開示した少なくとも一つの染料容器が付着されるポートを有する本体と、
前記本体に付着され、それぞれ少なくとも一つの流路チャンネルが内部に形成された多数の櫛歯を含む櫛組立体と、
前記本体に付着された前記染料容器内に収容された染料を前記櫛組立体の櫛歯に供給するため、前記モータに連結される少なくとも一つのポンプと、
前記ポンプにより供給された染料を対応流路チャンネルを介して前記それぞれの櫛歯に供給するように形成される流路チャンネルとを含んでなることを特徴とする毛髪染色装置。
【請求項４】
前記櫛組立体は前記本体の一端に回動可能に付着されることを特徴とする請求項３に記載の毛髪染色装置。
【請求項５】
前記櫛組立体の各櫛歯は、内部に形成された一つないし八つの流路チャンネルを有することを特徴とする請求項３に記載の毛髪染色装置。
【請求項６】
前記本体内に装着されたポンプは隔壁により区画された多数のポンピング要素を有し、前記ポンピング要素は同軸上に配列され、前記ポンピング要素の数は流路チャンネルを有する櫛歯の数と対応することを特徴とする請求項３に記載の毛髪染色装置。
【請求項７】
前記ポンプと前記櫛組立体間に形成された前記流路チャンネルに装着されるバルブをさらに含み、前記バルブの選択位置に応じて、染料がほかの染料と混合されながら前記流路チャンネルを介して排出されるかまたは染料がほかの染料と混合されないで前記流路チャンネルを介して排出されることを特徴とする請求項３に記載の毛髪染色装置。
【請求項８】
前記染料容器の口部のサイズにかかわらず前記染料容器が容易に取り替えられるように、前記本体のポートに付着される仲介板をさらに含むことを特徴とする請求項３に記載の毛髪染色装置。
【請求項９】
前記ポンプにより供給された染料を均一に分配するため、前記ポンプと前記櫛組立体間に配置される多数のディスペンサをさらに含むことを特徴とする請求項３に記載の毛髪染色装置。
【発明の詳細な説明】
【技術分野】
【０００１】
本発明は毛髪染色装置に係り、より詳しくは毛髪（例えば、毛髪、繊維または体毛）の染色（例えば、脱色、着色、発色、コート）において、糊状または液状の染色用流体が入れられている染料容器（例えば、チューブ、瓶、バッグ）内の染料を容易に使用することができ、染料の浪費なしに所望量だけを使用することができ、いろいろの染料（例えば、ベース染料と安定剤、顕色剤、脱色剤、またはベース染料と混合されるほかの染料）を必要時に容易で迅速に混合することができるので、毛髪を新たな染料で容易で便利に染色することができる毛髪染色装置に関するものである。
また、本発明は前記のような毛髪染色装置に使用可能な染料容器に関するものである。
【背景技術】
【０００２】
これまで、多様な毛髪染色装置が提案されてきたが、その例は次の特許文献に開示されている。
１．Korean Utility Model No. 200270351 filed on October 2001 in the name of ESTHER COS. CO., LTD. 
２．Korean Utility Model No. 200151735 filed on July 1997 in the name of DONG SUNG PHARM. CO., LTD. 
３．Korean Utility Model No. 200151736 filed on March 1997 in the name of DONG SUNG PHARM. CO., LTD.
４．US Patent No. 6,513, 534 filed on October 1999 in the name of Montec Products Development Ltd. (IL)
５．US Patent No. 6,460, 546 filed on August 2001 in the name of Montec Products Development Ltd. (IL)
６．US Patent No. 6,457, 476 filed on January 2001 in the name of The Procter & Gamble Co.
７．US Patent No. 6,453, 909 filed on March 2000 in the name of L'Oreal S. A. (Paris, FR)
８．US Patent No. 6,450, 366 filed on October 2000 in the name of L'Oreal S. A. (Paris, FR)
９．US Patent No. 6,431, 178 filed on January 2000 in the name of Pentel Kabushiki Kaisha (JP)
１０．US Patent No. 6,390, 101 filed on May 2000 in the name of Larry Rush Alexander (Evanston, IL)
１１．US Patent No. 6,386, 778 filed on January 2001 in the name of The Gillette Company (Boston, MA)
１２．US Patent No. 6,357, 450 filed on December 2000 in the name of Andrew Paice (GB)
１３．US Patent No. 6,357, 449 filed on November 2000 in the name of New Basics, Inc. (Boston, MA)
１４．US Design Patent No. D442, 331 filed on April 2000 in the name of New Basics, Inc. (Boston, MA)
１５．US Patent No. 6,334, 727 filed on April 2000 in the name of L'Oreal S. A. (Paris, FR)
１６．US Patent No. 6,334, 449 filed on May 2000 in the name of The Procter & Gamble Co.
１７．US Patent No. 6,285, 518 filed on August 1999 in the name of Michel Laporte (FR)
１８．US Patent No. 6,260, 557 filed on July 2000 in the name of Christine Yarbrough (FL)
１９．US Patent No. 6,244, 433 filed on February 2000 in the name of L'Oreal S. A. (Paris, FR)
２０．US Patent No. 6,182, 822 filed on August 1998 in the name of L'Oreal S. A. (Paris, FR)
２１．US Patent No. 6,176, 389 filed on December 1998 in the name of L'Oreal S. A. (Paris, FR)
２２．US Patent No. 6,145, 513 filed on February 1999 in the name of New Basics, Inc. (Boston, MA)
２３．US Patent No. 6,142, 157 filed on February 1999 in the name of L'Oreal S. A. (Paris, FR)
２４．US Patent No. 6,062, 230 filed on July 1998 in the name of Zarko Kajgana (OH)
２５．US Patent No. 6,053, 177 filed on February 1999 in the name of Montec Products Development Ltd. (IL)
２６．US Patent No. 6; 012,462 filed on April 1999 in the name of Rodney L. SCHMITTOU (CA)
２７．US Patent No. 6,009, 881 filed on October 1998 in the name of L'Oreal S. A. (Paris, FR)
２８．US Patent No. 5,937, 866 filed on April 1998 in the name of Laila Magharehi (CA)
２９．US Patent No. 5,913, 314 filed on October 1998 in the name of Michelle R. Garrett (MD)
３０．US Patent No. 5,848, 730 filed on December 1998 in the name of Kao Corporation (Tokyo, JP)
３１．US Patent No. 5,778, 902 filed on December 1996 in the name of Christine Nagy (NY)
３２．US Patent No. 5,676, 480 filed on April 1996 in the name of Nada Tosto (NY)
３３．US Patent No. 5,593, 065 filed on January 1997 in the name of Pakmax, Inc. (NJ)
３４．US Patent No. 5,569, 368 filed on June 1995 in the name of Edvin G. Larsky (VA)
３５．US Patent No. 5,472, 456 filed on January 1995 in the name of Edvin G. Larsky (VA)
３６．European Patent No. 1,018, 309 filed on July 2000 in the names OF PENTEL Kabushiki Kaisha (JP) and Taico Co. (JP)
【０００３】
前記のような従来の染色装置は、次のように幾つかのタイプに分類することができる。
【０００４】
第１タイプ（図１ａ）は、染色装置に連結されていない別途の染料容器１から所望使用量の染料（または糊）をそれぞれ取り、予め混合し、これを装置の注射器のようなシリンダ２または密閉容器内に入れた後、ピストンを押して、櫛歯に形成された孔４を介して押し出すか、あるいは櫛歯間に形成された孔４ａを介して押し出す方式である。
【０００５】
第２タイプは、第１タイプと同様に、染色装置に連結されていない別途の染料容器１から染料を取り、予め混合した後、折畳み式バッグに染料を入れ、バッグを押しつぶすことで染料を放出させて、櫛歯に形成された孔４を介して押し出すか、あるいは櫛歯間に形成された孔４ａを介して押し出す方式である。
【０００６】
第３タイプ（図１ｂ）は、第１タイプおよび第２タイプと同様に、染色装置に連結されていない別途の染料容器１から染料を取って混合し、さらに移して入れた後、モータ５、ギヤ８、カム９などの機構でシリンダ２内の染料を櫛歯の孔（図示せず）を介して押し出す方式である。
【発明の開示】
【発明が解決しようとする課題】
【０００７】
前記第１ないし第３タイプは、染色装置の本体３、６に連結されていない別途の染料容器１から所望量の染料を分配し、その染料を手またはそのほかの手段で予め混合する過程により染色装置のシリンダ２などに移して入れなければならなく、染色作業の途中、染料が不足であるかまたは余剰であると、前記のような動作を繰り返さなければならなく、シリンダ２または櫛歯の流路が塞いだ場合、これを開放させる手段がなく、手、道具または周囲が汚染される欠点がある。
【０００８】
第４タイプは、スプレー缶を、取っ手としても作用するように染色装置の外部に付着して、スプレー缶内のガス圧力で染料と顕色剤などを噴射するものである。これは、染料を押し出すためのシリンダとピストンなどを特別に備えなくてもよく、２種の染料を分配し混合して移し入れることを不要にしたことに利点があるが、目で見えない染料が霧状に飛散して作業者の皮膚を汚染させるか、目に入るか、または周囲を汚染させる問題点がある。
【０００９】
第５タイプは、圧力容器内に染料を入れ密閉させ、外部から圧力空気を吹き込むことで、圧力差により染料をホースを介して押し出すようにしたものである。これは、染料を予め混合して入れてはないが、前述したタイプと同様に、ほかの染料容器から圧力容器内に染料を充填し、圧力容器を密閉させる作業が必要である。また、圧力容器が揺れるかまたは傾くとき、空気がホースを介して流入し得るため、染料が危険に噴出し、希薄染料のほかには適用し難いという欠点を有する。
【００１０】
また、前記第１ないし第５タイプの毛髪染色装置およびそのほかの従来の毛髪染色装置は、染料を櫛歯の孔を介して均等に分配することができない問題を有する。従来の全ての染色装置は、それぞれの孔を介して染料を分配するか、またはそれぞれのオリフィスを介して染料を分配したが、それぞれの染料孔が互いに連通されていて、染料が自然開放孔を介して放出されるため、染料を強制に均一に分配することができなかった。特に、染料の流動が妨害されるか、または孔が詰まったときは、流動の妨害される孔を介して流れる流量と残りの孔を介して流れる流量が著しく相違するため、使用者の頭皮に染料があまり多くまたは少なく塗布される。その結果、染料が使用者の顔面に沿って流れるかあるいは飛ぶことが生じる。
【００１１】
したがって、前記のような問題点に鑑みてなされたもので、その目的は、毛髪の染色において、糊状または液状の染色用流体が入れられている染料容器内の染料を容易に使用することができ、染料の浪費なしに所望量だけを使用することができ、いろいろの染料を所望時に容易で迅速に混合することができるので、毛髪を新たな染料で容易で便利に染色することができる毛髪染色装置を提供することにある。
【００１２】
本発明のほかの目的は、前記のような毛髪染色装置に使用可能な染料容器を提供することにある。
【課題を解決するための手段】
【００１３】
本発明の一観点によると、前記およびそのほかの目的は、毛髪染料を収容する染料容器において、染料の排出により流入される空気と接触しないように形成され、前記染料の排出時、小さい負圧を受けるように易く折り畳まれる樹脂薄膜に形成される染料収容空間と、染料が排出される少なくとも一つの口部とを含んでなる染料容器を提供することで達成可能である。
【００１４】
好ましくは、前記染料容器は、前記染料の減少により生じる負圧を減らすため、前記染料収容区間に隣接した前記染料容器の外側に形成される少なくとも一つの孔をさらに含む。
【００１５】
本発明のほかの観点によると、電気力により染料を排出して毛髪を染色する毛髪染色装置において、モータ、電源、スイッチ、および前記少なくとも一つの染料容器が付着されるポートを有する本体と、前記本体に付着され、それぞれ少なくとも一つの流路チャンネルが内部に形成された多数の櫛歯を含む櫛組立体と、前記本体に付着された前記染料容器内に収容された染料を前記櫛組立体の櫛歯に供給するため、前記モータに連結される少なくとも一つのポンプと、前記ポンプにより供給された染料を対応流路チャンネルを介して前記それぞれの櫛歯に供給するように形成される流路チャンネルとを含んでなる毛髪染色装置を提供する。
【００１６】
好ましくは、前記櫛組立体は、前記本体の一端に回動可能に付着される。
【００１７】
好ましくは、前記櫛組立体の各櫛歯は、内部に形成された一つないし八つの流路チャンネルを有する。
【００１８】
好ましくは、前記本体内に装着されたポンプは、隔壁により区画された多数のポンピング要素を有し、前記ポンピング要素は同軸上に配列され、前記ポンピング要素の数は流路チャンネルを有する櫛歯の数と対応する。
【００１９】
好ましくは、前記毛髪染色装置は、前記ポンプと前記櫛組立体間に形成された前記流路チャンネルに装着されるバルブをさらに含み、前記バルブの選択位置に応じて、染料がほかの染料と混合されながら前記流路チャンネルを介して排出されるかまたは染料がほかの染料と混合されないで前記流路チャンネルを介して排出される。
【００２０】
好ましくは、前記毛髪染色装置は、前記染料容器の口部のサイズにかかわらず前記染料容器が容易に取り替えられるように、前記本体のポートに付着される仲介板をさらに含む。
【００２１】
好ましくは、前記毛髪染色装置は、前記ポンプにより供給された染料を均一に分配するため、前記ポンプと前記櫛組立体間に配置される多数のディスペンサをさらに含む。
【発明を実施するための最良の形態】
【００２２】
本発明の前記およびそのほかの目的、特徴および利点は添付図面を参照する以降の詳細の説明からより明らかに理解可能であろう。
図１ａおよび図１ｂは従来の毛髪染色装置をそれぞれ示す概略図である。
図２は本発明の第１実施形態による毛髪染色装置の斜視図である。
図３は図２の毛髪染色装置の内部を示す部分切断側面図である。
図４は図２の毛髪染色装置の内部を示す部分切断平面図である。
図５は本発明の染料容器を示す図である。
図６は図２の毛髪染色装置の櫛組立体の混合動作を示す断面図である。
図７は図２の毛髪染色装置の櫛組立体の分離動作を示す断面図である。
図８は図２の毛髪染色装置のマルチチャンネルポンプを示す図である。
図９は図８のマルチチャンネルポンプの外部ケーシングを示す投影図である
図１０は図８のマルチチャンネルポンプの内部ケーシングを示す投影図である
図１１は図８のマルチチャンネルポンプのローターを示す投影図である。
図１２は図２の毛髪染色装置のバルブを示す組立断面図である。
図１３は櫛組立体を付着された、図１２のバルブの外部ケーシングを示す断面図である。
図１４は櫛組立体を付着された、図１２のバルブの内部ケーシングを示す断面図である。
図１５は図２のバルブのバルブケーシングを示す断面図である。
図１６ａおよび図１６ｂは図１２のバルブをそれぞれ示す投影図である
図１７ａないし図１７ｃは本発明の仲介板をそれぞれ示す投影図である。
図１８は本発明による第１実施形態による毛髪染色装置の油圧回路図である。
図１９は本発明の第２実施形態による毛髪染色装置の内部を示す部分断面側面図である。
図２０は本発明のマルチチャンネルディスペンサを示す図である。
図２１は図２０のマルチチャンネルディスペンサの外部ケーシングを示す投影図である。
図２２は図２０のマルチチャンネルディスペンサの内部ケーシングを示す投影図である
図２３は図２０のマルチチャンネルディスペンサのローターを示す投影図である。
図２４は図１９の毛髪染色装置の油圧回路図である。
【００２３】
本発明は染料容器とこの染料容器を使用する毛髪染色装置に関する。図２ないし図４に基づいて染料容器および毛髪染色装置の一般的な構成を説明し、図５に基づいて染料容器を説明する。
【００２４】
図２ないし図４に示すように、本発明の第１実施形態による毛髪染色装置は、本体２０、ヘッド部３０、櫛組立体４０を含む。ここで、本体２０は取っ手として作用する。
【００２５】
染料を収容する染料容器１０はポート１５０に着脱可能に取り付けられ、ポート１５０は本体２０またはヘッド部３０に形成されるので、染色容器１０がポート１５０に対して容易に着脱可能である。
【００２６】
ヘッド部３０は櫛組立対４０に結合される。また、ヘッド部３０は、ヘアドライヤのように、毛髪染色装置の本体２０にヒンジで結合される。
【００２７】
染料容器１０は、使い捨て用しえあるかまたは充填用であるかによって、多様な種類および容量のものが使用可能であるが、歯磨きのチューブ形態が便利である。一方、図５に示すようなカートリッジ形態の染料容器１０’は繰り返して使用するのに有利である。どの形態の容器１０、１０’であっても、染料が外気と反応して変性することを防止するため、収容空間が減少しても外気が接触しない構造が好ましい。
【００２８】
チューブ型染料容器１０は、染料が放出される過程で外気の流入を遮断する。
【００２９】
本発明の毛髪染色装置において、染料をポンプで吸入するため、チューブを手で押しつぶすものとは異なり、チューブに外力が作用しないので、染料容器１０は軟質の合成樹脂で形成し、厚さをできるだけ薄く成形して、染料容器１０の内部に負圧が小さく作用するかあるいは作用しないようにする。
【００３０】
図５のカートリッジ型染料容器１０’は、口部１０’ｃを有する硬質合成樹脂のケーシング１０’ａ内に別途の薄膜バッグ１０’ｂを設け、ケーシングに通孔１０’ｄを形成することが好ましい。このような染料容器１０’は、薄膜バッグ１０’ｂに充填された染料がポンピングされるとき、薄膜バッグ１０’ｂが柔軟に伸縮して抵抗力を減らすとともに染料と空気の接触を防止する。
【００３１】
図３に示すように、本体２０の内部には、電源５０、モータ６０、ポンプ８０が装着される。本体２０の外部には、モータ６０に印加される電源を断続するためのスイッチ（図示せず）が設けられる。ポンプ８０は、モータ６０による吐出量を容易に制御するため、ベーンポンプを使用することもできるが、流体の特性によって、ギヤポンプ、ロータリーポンプなどの容積型ポンプを使用することがよい。好ましくは、小容量（例えば、５〜３０ｃｃ／ｍ）のものを選択する。そして、モータ６０の種類によっては減速機７０が必要である。櫛組立体４０は４０’の位置に回転可能であるので、作業時または保管時に角度調節が容易である。
【００３２】
図６および図７に示すように、櫛組立体４１は、従来より広い幅の板状素材に流路４１ａ、４１ｂを形成してなる。櫛歯４１の配列形状は断面形態によって選択することが好ましい。すなわち、薄くて広い板状の櫛歯の場合は、一列または二列に配列して、梳くときに２方向性を有するようにし、細くて丸い櫛歯の場合は、ブラシのように多数の行列に配列して、梳くときに方向性がないようにすることが好ましい。櫛歯４１の幅が広くなると、内部流路４１ａ、４１ｂの数と形態を変更し易く、そして染色する過程で毛髪との摩擦による変形、損傷、磨耗を防止するのに有利である。２箇所の流路４１ａ、４１ｂを完全に分離するか、あるいは上部、中間部、下部の一部で連結することができ、これによって染色のパターンが変わる。図７に示すように、櫛歯７１の下端は、効率よく梳けるように、尖っており、この下端で流路４１ａ、４１ｂが露出される。
【００３３】
前記櫛組立体４０は、櫛歯４１の内部に一つまたは２つ〜８つの流路４１ａ、４１ｂを有する。流路４１ａ、４１ｂの数は、染料の混合および分離と染料孔の洗浄のため、染料の数と一致させることが好ましい。
【００３４】
このような櫛歯４１は、長い場合は、押出し成形するかまたは金属板材を塑性加工するが、短い場合は、射出などのほかの成形法を選択することができる。
【００３５】
また、本発明のポンプ８０は、供給すべき染料種の数と同一数のデュアル（ダブル）ポンプまたはマルチポンプを採用する。その上、多数の染料を強制に均一に分配するため、それぞれのポンプ８０は一つの入口８１ａと多数の出口８１ｂを有するように構成される。すなわち、染料の流路４１ａ、４１ｂを有する櫛歯の数と同数の単位ポンピング要素８３（図１１）を同軸に連結して、ポンピング要素が同期するようにしたマルチチャンネル方式が最も好ましい。
【００３６】
図８ないし図１１に示すように、ポンプ８０は、外部ケーシング８１（図９）、内部ケーシング８２（図１０）、および端子ポンピング要素８３（図１１）を含み、全ての単位ポンプの総吐出量は前記毛髪染色装置の吐出量と同一である。
【００３７】
外部ケーシング８１は内部ケーシング８２を収容し、外部ケーシング８１の上部には、内部ケーシングの入口８２ａと対応する一つの入口８１ａが設けられ、外部ケーシング８１の下部には、内部ケーシングの出口８２ｂと対応する多数の出口８１ｂが設けられる。
【００３８】
内部ケーシング８２は上部ケーシング部８２ｕと下部ケーシング部８２１とからなって、互いに結合されている。内部ケーシング８２の上部には一つの入口８２ａが形成され、下部には多数の出口８２ｂが形成される。内部ケーシング８２ｕ、８２１の内部空間は隔壁８２ｃで区画されたチャンバー８２ｄからなる。独立隔壁を有するチャンバーが同軸上に配列されるか、または隣接チャンバー同士共同隔壁を有するように配列されて、全てのチャンバーが同軸上に一体化される。
【００３９】
単位ポンピング要素８３は同一シャフト上に多数のローター８３ａが一体的に形成された構造であり、一端にモータ６０または減速機７０に連結するためのカップリング８４を有する。
【００４０】
本発明のポンプ８０の基本メカニズムには、外接歯車ポンプ、内接歯車ポンプ、トロコイドポンプ、ロータリーポンプ、プランジャポンプ、スクィーズポンプ、蠕動ポンプ、ダイアフラムポンプ、ベーンポンプなどを提供することができる。しかし、マルチチャンネルポンプの設計を考慮すると、容積型ポンプのうち、ギヤポンプまたはロータリーポンプがよい。図８に示すポンプ８０は外接歯車ポンプである。
【００４１】
本発明の毛髪染色装置の本体２０またはヘッド部３０は染料容器１０、１０’を装着するためのポート１５０を有する。本体の製造においては、ポートの規格を単一に統一することがよく、後述する仲介板１１０を介在すると、多様な規格の染料容器１０、１０’を装着することができる。
【００４２】
また、本発明の毛髪染色装置は、前記ポンプ８０により移送される染料を前記櫛組立体４０のそれぞれの櫛歯４１に流れるようにする流路９０を含む。前記ポンプから強制に均一に供給されるそれぞれの染料を櫛歯４１に送る流路９０の内径は櫛歯の流路４１ａ、４１ｂの内径より大きくし、染料容器１０、１０’からポンプ８０への流路の断面積は、前記ポンプ８０により染料を櫛歯に送る流路９０の内径の和より大きくすることにより、流路抵抗とチョーク効果を減らすことが好ましい。また、櫛組立体４０を折り畳むかまたは広げるとき、損傷しないように、流路９０の素材はフレキシブルホースから製造することが好ましい。
【００４３】
図１２ないし図１６に示すように、本発明による毛髪染色装置は、染料の流路を断続するように、本体２０にバルブ１００を設けることもでき、染料の流路を断続するように、ヘッド部３０にバルブ１００をさらに設けることもできる。混合位置（Ｂ−Ｂ’）と分離位置（Ａ−Ａ’）を選択するためにヘッド部３０に装着されたバルブ１００を図２ないし図４に示す。
【００４４】
バルブ１００は混合−遮断−分離を選択する方式が最も好ましい。しかし、混合、遮断および分離のなかで所望の機能を選択して組み合わせることができる。組合せによっては、４ポート−２ポジションバルブまたは４ポート−３ポジションバルブなどが提供される。最適の組合せは、混合位置（Ｂ−Ｂ’）−分離位置（Ａ−Ａ’）を選択し得る４ポート１０２ａ、１０２ｂ、１０２ｃ、１０２ｄ（図１４）−２ポジション（Ａ’−Ａ’、Ｂ−Ｂ’）バルブである。４ポート−２ポジションバルブで染料を混合する位置（Ｂ−Ｂ’）の例を図６に示し、４ポート−２ポジションバルブで染料を分離する位置（Ａ−Ａ’）の例を図７に示す。
【００４５】
混合バルブは、第１チャンバー１０４ａと第２チャンバー１０４ｂ間にネック部１０４ｃを設けることにより、染料が撹拌されて混合されるようにすることが好ましい。また、混合−遮断−分離バルブを操作するための手段はレバーまたはカム（図示せず）からなる。
【００４６】
前述したように、染料容器１０、１０’を本体に着脱するポート１５０を本体２０に設けるかまたはヘッド部３０に設け、ポート１５０と染料容器１０、１０’間に仲介板１１０（図１７）を設けることにより、使用者が多様な染料容器を選択して仲介板１１０に付着可能にする。
【００４７】
仲介板１５０（図１７）は、染料容器１０の口部（図示せず）の形状および大きさに対応する染料容器付着部１１０ａと、本体２０のポート１５０の形状および大きさに対応する本体付着部１１０ｂとを有するので、仲介板１１０を簡単に交替するだけで、多様な染料容器１０、１０’を取り替えて締結することができる。
【００４８】
ポート１５０は毛髪染色装置の本体２０またはヘッド部３０に形成される。各ポート１５０はその内側面に内側ネジ部を有するので、染料容器１０、１０’をそれぞれポートに堅く締結することができる。一方、各ポート１５０が切頭円錐形に形成されて、染料容器１０、１０’をそれぞれポートに容易に締結することができる。好ましくは、前記染料容器１０、１０’はその気密性を保障しながらも前記ネジ部または円錐部１５０に容易に着脱される。
【００４９】
図１８はそれぞれの櫛歯４１の流路４１ａ、４１ｂごとに２種の染料を混合−分離排出するように制御することを示す。同図に示すように、二つのポンプ８０が一つのモータ６０に連結され、同時に駆動されることにより、二つの染料容器１０、１０’からそれぞれ染料を吸入して排出させることを示す。モータ６０をオン／オフスイッチ（図示せず）は本体２０に設けられる。バルブ１００は櫛歯４１の流路４１ａ、４１ｂを同時に混合、分離または開閉するように設けられる。これにより、バルブ１００の位置（Ａ−Ａ’、Ｂ−Ｂ’）を選択し、モータ６０を作動させると、櫛組立体４０の全ての櫛歯４１で染料が混合または分離されて均一に排出される。
【００５０】
流路９０を通して移送される染料が櫛歯４１の外側に押し出されるとき、染料の安全速度は３０ｍｍ／ｓｅｃ以下に維持することがよい。一度に消費する染料の量がおよそ１２０ｍｌであることを考慮して、櫛歯４１の数と１櫛歯にある流路４１ａ、４１ｂの数によって流路９０の断面積を決定することが好ましい。
【００５１】
図１９ないし図２４は本発明の第２実施形態による毛髪染色装置を示す。
【００５２】
この実施形態によると、櫛組立体４０が結合されたヘッド部３０’に多数のディスペンサ１４０が装着される。
【００５３】
櫛組立体４０が結合されたヘッド部３０’と本体２０を一体的に構成したことは図２に示す第１実施形態と同様である。本体２０とヘッド部３０’はヒンジ１２０で結合される。また、本体２０の内部に電源５０、モータ６０、ポンプ８０を内蔵した点と、多数の櫛歯４１を結合して櫛組立体４０を形成した点も図２の第１実施形態と同様である。ただし、本発明の第２実施形態による毛髪染色装置は、ヘッド部３０’にディスペンサ１４０が装着される点で、本発明の第１実施形態による毛髪染色装置と異なる。
【００５４】
図２０ないし図２３に示すように、各ディスペンサ１４０は、外部ケーシング１１１と、上部ケーシング部１１２ｕおよび下部ケーシング部１１２１でなる内部ケーシングと、ポンピング要素１１３とからなる。
【００５５】
内部ケーシングの内部は、前記マルチチャンネルポンプと同様に、当該隔壁１１２ｃを有するチャンバー１１２ｄに分離されるか、あるいは共同の隔壁１１２ｃを有する一体型に形成されることもできる。どの場合であっても、チャンバー１１２ｄの数は染料が流動する櫛歯４１の数と対応することが好ましい。上部ケーシング部１１２ｕには一つの入口１１２ａが形成され、下部ケーシング部１１２１には櫛歯４１と同数の出口１１２ｂが形成される。内部ケーシング１１２ｕ、１１２１を収容するための外部ケーシング１１１にも、前記内部ケーシング１１２ｕ、１１２１と対応する形態の入口１１１ａおよび出口１１１ｂが形成される。外部ケーシング８６の外面に形成されるブラケットは配管用フレキシブルホースを支持する部材である。ポンピング要素１１３は多数のローター１１３ａがシャフトに一体に固定された形態であって、前記内部ケーシング１１２ｕ、１１２１上に回転可能に装着される。このポンピング要素は、ポンプ８０と同様な形態を取っているが、モータ６０の軸力がポンピング要素１１３に伝達されないするため、モータ６０に連結されない。このポンピング要素１１３はポンプにより吐き出される染料の圧力により作動される。
【００５６】
図１９ないし図２４に示すように、図２ないし図４に示すマルチチャンネル−マルチポンプの代わりに、シングルチャンネル−マルチポンプを採択する。ディスペンサ１４０は毛髪染色装置のヘッド部３０’に装着される。このディスペンサ１４０は油圧回路の所望位置に装着することができる。
【００５７】
ディスペンサ１４０はマルチチャンネルポンプ８３の役割を代行して、多数の櫛歯４１のなかでいずれか一つの流路に抵抗があっても、ほかの流路のポンピング要素がモータの役割をしながら抵抗のある流路を強制にポンピングして吐出量を均一にする。このように、前記各シングルポンプから吐き出された流体がマルチチャンネルディスペンサ１４０を通りながら均等に分配される。
【００５８】
ディスペンサ１４０は、ポンプ８０の構造をシングルポンプに単純化しながらもマルチチャンネルポンプと同一機能をするようにする。これはトロコイドポンプ、ロータリーポンプそのほかのポンプを応用することもできるが、小型の設計を考慮すると、図示のようなギヤポンプ方式がよい。
【００５９】
本発明の毛髪染色装置の組立において、外部ケーシング１１１の入口１１１ａにはポンプ８０側のフレキシブルホースが連結され、出口１１１ｂには櫛歯４１の内部に形成された流路の上流端に連結される。
【００６０】
図２４は、図１８と類似した、本発明の第２実施形態による毛髪染色装置の油圧回路図である。図２４に示すように、ディスペンサ１４０はポンプ８０と櫛組立体４０間に介在される。しかし、このディスペンサ１４０の提供は必須的なものではない。各ポンプ８０がマルチチャンネルポンプであれば、図１８に示すような構成を採択することができる。
【００６１】
図１９に示すようなヘッド部３０’は正方形に形成されるが、図２ないし図４に示すようなヘッド部３０は円形に形成される。毛髪染色装置のヘッド部３０、３０’の形状にかかわらず、多様な形状を有する染料容器を本体２０またはヘッド部３０、３０’に着脱可能に付着することができる。
【００６２】
以上、本発明の好適な実施形態を例示の目的で開示したが、当業者であれば、添付する特許請求範囲に開示された本発明の範囲および精神から逸脱せずに多様な修正、付加および代替が可能であろう。
【００６３】
前記説明から明らかになるように、本発明は、毛髪に永久的、半永久的または一時的に、発色、着色、脱色または塗布などの染色を行うとき、多様な種類の染料容器を容易に取り替えて装着することができるので、所望の染料（脱色剤、安定剤、顕色剤またはコーティング剤）を選択しやすく、電源スイッチと速度スイッチを調節して染色の速度およびパターンを調節することが容易であるだけでなく、ポンプから吐き出された染料が櫛歯の孔に均一に分配することができる毛髪染色装置を提供する。
【００６４】
本発明の毛髪染色装置によると、染料容器から所要量だけの染料を排出することができるか、または同一量の染料を供給することができる。また、毛髪を染色する途中、染料を容易で便利に補充することができ、染料により詰まった櫛歯内の流路チャンネルを容易に洗浄することができる。また、使用者の皮膚が染料で汚れなく、使用者の眼に染料が入ることを効果的に防止することができる。
【００６５】
また、本発明の毛髪染色装置は専門家だけでなく一般の使用者も便利に使用することができ、本発明の毛髪染色装置は一般のヘアドライヤのように容易で便利に使用可能である。したがって、本発明の毛髪染色装置は専門的な需要のみならず一般的な需要にも応えることができる。
【図面の簡単な説明】
【００６６】
【図１ａ】従来の毛髪染色装置を示す概略図
【図１ｂ】従来の毛髪染色装置を示す概略図
【図２】本発明の第１実施形態による毛髪染色装置の斜視図
【図３】図２の毛髪染色装置の内部を示す部分切断側面図
【図４】図２の毛髪染色装置の内部を示す部分切断平面図
【図５】本発明の染料容器を示す図
【図６】図２の毛髪染色装置の櫛組立体の混合動作を示す断面図
【図７】図２の毛髪染色装置の櫛組立体の分離動作を示す断面図
【図８】図２の毛髪染色装置のマルチチャンネルポンプを示す図
【図９】図８のマルチチャンネルポンプの外部ケーシングを示す投影図
【図１０】図８のマルチチャンネルポンプの内部ケーシングを示す投影図
【図１１】図８のマルチチャンネルポンプのローターを示す投影図
【図１２】図２の毛髪染色装置のバルブを示す組立断面図
【図１３】櫛組立体を付着された、図１２のバルブの外部ケーシングを示す断面図
【図１４】櫛組立体を付着された、図１２のバルブの内部ケーシングを示す断面図
【図１５】図２のバルブのバルブケーシングを示す断面図
【図１６ａ】図１２のバルブを示す投影図
【図１６ｂ】図１２のバルブを示す投影図
【図１７ａ】本発明の仲介板を示す投影図
【図１７ｂ】本発明の仲介板を示す投影図
【図１７ｃ】本発明の仲介板を示す投影図
【図１８】本発明による第１実施形態による毛髪染色装置の油圧回路図
【図１９】本発明の第２実施形態による毛髪染色装置の内部を示す部分断面側面図
【図２０】本発明のマルチチャンネルディスペンサを示す図
【図２１】図２０のマルチチャンネルディスペンサの外部ケーシングを示す投影図
【図２２】図２０のマルチチャンネルディスペンサの内部ケーシングを示す投影図
【図２３】図２０のマルチチャンネルディスペンサのローターを示す投影図
【図２４】図１９の毛髪染色装置の油圧回路図
【符号の説明】
【００６７】
１０  染料容器
２０  本体
３０  ヘッド部
４０  櫛組立体
５０  電源
６０  モータ
７０  減速機
８０  ポンプ
９０  流路
１００  バルブ
１１０  仲介板
１２０  ヒンジ
【図１】
2005533596.tif 000003
【図２】
2005533596.tif 000004
【図３】
2005533596.tif 000005
【図４】
2005533596.tif 000006
【図５】
2005533596.tif 000007
【図６】
2005533596.tif 000008
【図７】
2005533596.tif 000009
【図８】
2005533596.tif 000010
【図９】
2005533596.tif 000011
【図１０】
2005533596.tif 000012
【図１１】
2005533596.tif 000013
【図１２】
2005533596.tif 000014
【図１３】
2005533596.tif 000015
【図１４】
2005533596.tif 000016
【図１５】
2005533596.tif 000017
【図１６】
2005533596.tif 000018
【図１７】
2005533596.tif 000019
【図１８】
2005533596.tif 000020
【図１９】
2005533596.tif 000021
【図２０】
2005533596.tif 000022
【図２１】
2005533596.tif 000023
【図２２】
2005533596.tif 000024
【図２３】
2005533596.tif 000025
【図２４】
2005533596.tif 000026
【国際調査報告】
2005533596.tif 000027